(57)【特許請求の範囲】
【請求項１】
キー入力装置を備え、カードで決済するカード決済端末装置において、
所定時間ごとに数値を変更して生成する数値生成手段と、
前記数値からパスワードを生成するパスワード生成手段と、
管理者が所持する鍵によって前記生成されたパスワードを表示するパスワード表示手段と、
前記生成されたパスワードと、前記表示により前記生成されたパスワードを取得する前記管理者及び前記管理者から前記生成されたパスワードの通知を受ける者により前記キー入力装置に入力されるパスワードとを比較するパスワード比較手段と、
前記鍵により又は前記比較が一致したとき電源をオンにし、一定時間前記キー入力装置からのデータ入力がないときに前記電源をオフにする電源制御手段と、
を有することを特徴とするカード決済端末装置。
【請求項２】
前記数値生成手段はリアルタイムクロックからなることを特徴とする請求項１記載のカード決済端末装置。
【請求項３】
前記パスワード生成手段は、ランダムな数値を発生するランダム数値発生手段を有し、前記リアルタイムクロックから出力される日付と、前記ランダムな数値を演算することによって前記パスワードを生成することを特徴とする請求項２記載のカード決済端末装置。
【請求項４】
キー入力装置を備え、カードで決済するカード決済端末装置の電源投入方法において、
所定時間ごとに数値を変更して生成し、
前記数値からパスワードを生成し、
管理者が所持する鍵によって前記生成されたパスワードを表示し、
前記生成されたパスワードと、前記表示により前記生成されたパスワードを取得する前記管理者及び前記管理者から前記生成されたパスワードの通知を受ける者により前記キー入力装置に入力されるパスワードとを比較し、
前記鍵により又は前記比較が一致したとき電源をオンにし、一定時間前記キー入力装置からのデータ入力がないときに前記電源をオフにするカード決済端末装置の電源投入方法。
【発明の詳細な説明】
【０００１】
【発明の属する技術分野】
本発明は決済するカード決済端末装置及びカード決済端末装置の電源投入方法に関し、特にパスワードを入力して決済するカード決済端末装置及びカード決済端末装置の電源投入方法に関する。
【０００２】
【従来の技術】
現在、社会の情報化、通信ネットワークの拡大普及に伴って、データを蓄積した電子機器のデータアクセスに対するセキュリティが重要視される。そこで、カード決済端末装置においても不正アクセスを防止し、安全に使用できる装置が要求される。
【０００３】
例えば、重要なデータに対しデータアクセスするカード決済端末装置には、電源を投入して、パスワードを入力することにより、蓄積されたデータにアクセスすることができるものがある。また、このカード決済端末装置のパスワードを変更するには、パスワードの変更をすることができる資格を有する者によって、パスワードが変更される。
【０００４】
【発明が解決しようとする課題】
しかし、上記のようなカード決済端末装置では、電源が容易に入れられるために、第三者によって装置の内部を解析され、データを改ざんされるという問題がある。
【０００５】
また、パスワードの変更をする資格を有する者がパスワードの変更をせず、第三者にパスワードを知られた場合、データを不正アクセスされるという問題がある。
【０００６】
本発明はこのような点に鑑みてなされたものであり、パスワードの入力、または鍵により装置の電源をオンにして、また一定時間経過後パスワードを自動的に変更して、不正アクセスを防止するカード決済端末装置及びカード決済端末装置の電源投入方法を提供することを目的とする。
【０００７】
【課題を解決するための手段】
本発明では上記問題を解決するために、キー入力装置を備え、カードで決済するカード決済端末装置において、所定時間ごとに数値を変更して生成する数値生成手段と、前記数値からパスワードを生成するパスワード生成手段と、管理者が所持する鍵によって前記生成されたパスワードを表示するパスワード表示手段と、前記生成されたパスワードと、前記表示により前記生成されたパスワードを取得する前記管理者及び前記管理者から前記生成されたパスワードの通知を受ける者により前記キー入力装置に入力されるパスワードとを比較するパスワード比較手段と、前記鍵により又は前記比較が一致したとき電源をオンにし、一定時間前記キー入力装置からのデータ入力がないときに前記電源をオフにする電源制御手段と、を有することを特徴とするカード決済端末装置が提供される。
【０００８】
このような構成によれば、所定時間経過後自動的にパスワードを変更し、鍵により又は変更されたパスワードと同じパスワードの入力により電源をオンにする。また、一定時間装置にデータ入力がない場合、電源をオフにする。このためデータにアクセスできる者を、鍵を有する管理者及びパスワードの通知を受ける者と限定する。
【０００９】
さらに、本発明では上記問題を解決するために、キー入力装置を備え、カードで決済するカード決済端末装置の電源投入方法において、所定時間ごとに数値を変更して生成し、前記数値からパスワードを生成し、管理者が所持する鍵によって前記生成されたパスワードを表示し、前記生成されたパスワードと、前記表示により前記生成されたパスワードを取得する前記管理者及び前記管理者から前記生成されたパスワードの通知を受ける者により前記キー入力装置に入力されるパスワードとを比較し、前記鍵により又は前記比較が一致したとき電源をオンにし、一定時間前記キー入力装置からのデータ入力がないときに前記電源をオフにするカード決済端末装置の電源投入方法が提供される。
【００１０】
このような手順によれば、所定時間経過後自動的にパスワードを変更し、鍵により又は変更されたパスワードと同じパスワードの入力により電源をオンにする。また、一定時間装置にデータ入力がない場合、電源をオフにする。このためデータにアクセスできる者を、鍵を有する管理者及びパスワードの通知を受ける者と限定する。
【００１１】
【発明の実施の形態】
以下、本発明の実施の形態を図面を参照して詳細に説明する。
図１は本発明のカード決済端末装置の原理を示すブロック図である。
【００１２】
図１のカード決済端末装置１０は、キー入力装置１１と、数値生成手段１２と、パスワード生成手段１３と、パスワード比較手段１４と、パスワード表示手段１５と、電源制御手段１６と、データアクセス装置１７から構成される。
【００１３】
キー入力装置１１は、入力されたパスワードをパスワード比較手段１４に送る。また、キー入力装置１１は、蓄積されたデータにアクセスするためのデータが入力される。
【００１４】
数値生成手段１２は、数値をある一定時間ごとに変更しながら数値を生成する。生成された数値は、パスワード生成手段１３へ送られる。
パスワード生成手段１３は、数値生成手段１２より生成された数値が変更されたとき、その数値を元にしてパスワードを生成する。
【００１５】
パスワード比較手段１４は、キー入力装置１１から入力されたパスワードと、パスワード生成手段１３によって生成されたパスワードとを比較し、一致しているか否かを判定する。判定した結果は、電源制御手段１６に伝達される。
【００１６】
パスワード表示手段１５は特定の鍵の入力により、パスワード生成手段１３により生成されたパスワードを表示する。同時に、パスワード表示手段１５は、鍵が入力されたことを電源制御手段１６に伝達する。
【００１７】
電源制御手段１６は、パスワード生成手段１３によって生成されたパスワードと、キー入力装置１１によって入力されたパスワードが一致している場合は電源をオンにする。また、電源制御手段１６は、パスワード表示手段１５に特定の鍵が入力された場合にも電源をオンにする。さらに、電源制御手段１６は、一定時間キー入力装置１１へのデータ入力がない場合、またはパスワード表示手段１５への鍵によるパスワードの取得がない場合電源をオフにする。電源制御手段１６は電源をオンにした場合、データアクセス装置１７へ電源を供給する。
【００１８】
データアクセス装置１７は、電源制御手段１６が電源をオンにした場合に電源が供給され、蓄積されているデータなどへのアクセスを制御する。
以下、図１のブロック図の動作について説明する。
【００１９】
まず、カード決済端末装置１０の電源制御手段１６の電源がオフの状態にあるとする。このとき、カード決済端末装置１０の有するデータにアクセスすることができない。そこで、特定の鍵を使用して、パスワード生成手段１３より生成されるパスワードをパスワード表示手段１５により表示する。同時に、電源制御手段１６は電源をオンにし、データアクセス装置１７は、蓄積されているデータにアクセスできる。これにより、使用者は、カード決済端末装置１０の有するデータへアクセスすることができる。また、使用者が鍵によって取得したパスワードは、キー入力装置１１から入力するパスワードとなる。
【００２０】
次に、キー入力装置１１からデータアクセスのための入力データが一定時間入力されなかったとする。すると、電源制御手段１６は、電源をオフにする。この状態になると、使用者が鍵によって取得したパスワードを入力するか、または鍵によって電源制御手段１６の電源をオンにする以外、カード決済端末装置１０の有するデータにアクセスすることができない。
【００２１】
ところで、一定時間経過すると数値生成手段１２は、数値を変えるためにパスワード生成手段１３によって生成されるパスワードが自動的に変更される。このため、生成されたパスワードとキー入力装置１１より入力するパスワードが異なり、キー入力装置１１からのパスワードの入力によるカード決済端末装置１０の使用ができなくなる。この場合は、使用者は、鍵を用いて新しく生成されたパスワードをパスワード表示手段１５より表示し、キー入力装置１１から入力するパスワードとすることができる。キー入力装置１１から入力するパスワードを忘れた場合も同様に、再度鍵によってパスワードを取得することができる。
【００２２】
以上により、鍵を有する者、または鍵によって得たパスワードを知る者のみが、カード決済端末装置１０の電源をオンすることができ、データの不正アクセスを防止することができる。
【００２３】
また、鍵を有しない他人であって、その他人にパスワードを知られても、一定時間経過するとパスワードが変更されるので、不正アクセスを防止することができる。
【００２４】
図２は本発明のカード決済端末装置の構成例を示す図である。
図２のカード決済端末装置２０は、キーボード２１と、ＲＴＣ（Real Time Clock）２２と、パスワード生成部２３と、パスワード比較部２４と、鍵部２５と、電源部２６と、制御部２７と、ＲＯＭ２７ａと、ＲＡＭ２７ｂと、ＬＣＤ２７ｃと、ＳＷ２７ｄと、バックアップ電池２７ｅから構成される。
【００２５】
キーボード２１は、入力されたパスワードをパスワード比較部２４に送る。また、キーボード２１は、蓄積されたデータにアクセスするためのデータが入力される。
【００２６】
ＲＴＣ２２は、時計機能を有する装置であり、秒、分、時、日、年、曜日をカウントする。ＲＴＣ２２の日付はパスワード生成部２３に送られる。
パスワード生成部２３は、ＲＴＣ２２の日付が変更された場合、ランダムな数値を発生し日付と積演算する。この積演算の結果をパスワードとして生成する。
【００２７】
パスワード比較部２４は、キーボード２１から入力されるパスワードと、パスワード生成部２３によって生成されたパスワードとを比較し、一致しているか否かを判定する。判定した結果は電源部２６に送られる。
【００２８】
鍵部２５は、特定の鍵が入力された場合、鍵が入力されたことを電源部２６に伝達する。同時に、制御部２７が立ち上がり、パスワード生成部２３により生成されたパスワードがＬＣＤ２７ｃに表示される。
【００２９】
電源部２６は、パスワード比較部２４の比較結果が一致している場合は、電源をオンにする。また、電源部２６は、鍵部２５に特定の鍵が入力された場合に電源をオンにする。さらに、電源部２６は、一定時間キーボード２１へのデータ入力がない場合、または鍵部２５の鍵によるパスワードの取得がない場合電源をオフにする。電源部２６は電源をオンにした場合、制御部２７へ電源を供給し、データへのアクセスを可能とする。
【００３０】
制御部２７は、電源部２６の電源がオンした場合に電源を供給され、蓄積されているデータへのアクセスを行う。
ＲＯＭ２７ａは、制御部２７がデータにアクセスするための手順や、ＬＣＤ２７ｃへの文字などを表示する手順を示すプログラムが格納される。
【００３１】
ＲＡＭ２７ｂは、制御部２７がプログラムを実行するときのワークエリアとして使用され、データにアクセスするための設定値などが保存される。また、バックアップ電池２７ｅによるバックアップ電源がＳＷ２７ｄを介して供給される。
【００３２】
ＬＣＤ２７ｃは、制御部２７によって文字などを表示し、鍵部２５によるパスワード取得時には、この取得したパスワードがＬＣＤ２７ｃに表示される。
ＳＷ２７ｄは、スイッチで、カード決済端末装置２０を覆うカバーが開けられた時にスイッチを開く。ＳＷ２７ｄが開いた場合、バックアップ電池２７ｅによる電源がＲＡＭ２７ｄに供給されず、保存されているデータが消去される。
【００３３】
バックアップ電池２７ｅは、電源部２６がオフの状態でも、パスワードの生成、生成されたパスワードとキーボード２１より入力されるパスワードとの比較が行われるようにＲＴＣ２２、パスワード生成部２３、パスワード比較部２４に電源を供給する。
【００３４】
以下、図２のカード決済端末装置の動作について説明する。図３にカード決済端末装置の動作手順を示す。
鍵を所有するマネージャ、パスワードを知ることのできる店員、カードで支払いをする顧客、データに不正アクセスする不正アクセス者がいるとする。
【００３５】
まず、マネージャは鍵部２５に鍵を入力して、電源部２６をオンにする（Ｓ１）。このとき、カード決済端末装置２０が立ち上がると同時に、ＬＣＤ２７ｃにパスワード生成部２３より生成されたパスワードが表示される（Ｓ２）。この表示されたパスワードは、その日のキーボード２１から入力するパスワードとなる。マネージャは、このパスワードを店員に通知する（Ｓ３）。
【００３６】
ここで、カード決済端末装置２０の電源部２６の電源がオンになっている場合は、店員はそのまま顧客にカードの支払い、またはカードの暗証番号の入力を行わせることができる（Ｓ４）。また、一定時間内に続けてキーボード２１へのデータ入力が行われている場合（Ｓ５）、電源部２６はオン状態であり、別の顧客に引き続きカードの支払いを行うことができる（Ｓ４）。一定時間キーボード２１へのデータ入力が行われなかった場合（Ｓ５）、電源部２６は電源をオフにする（Ｓ６）。
【００３７】
電源部２６の電源がオフの状態で、顧客がカードの支払い、またはカードの暗証番号入力をすることになったときは、店員がキーボード２１へパスワードを入力する（Ｓ７、Ｓ８、Ｓ９）。入力されたパスワードは、パスワード比較部２４において、パスワード生成部２３より生成されたパスワードと比較して（Ｓ１０）、一致していれば、電源部２６の電源をオンにし、一致していなければオフのままである（Ｓ６）。パスワードが一致していれば（Ｓ１０）、店員は顧客にカードの支払い、またはカードの暗証番号入力を行わせる（Ｓ４）。
【００３８】
店員がパスワードを忘れてしまった場合（Ｓ８）、再度マネージャにパスワードを教えてもらい（Ｓ１１）、キーボード２１へパスワードを入力する（Ｓ９）。また、マネージャがパスワードを忘れてしまった場合（Ｓ１１）、再度鍵を鍵部２５に入力し（Ｓ１）、生成されたパスワードを取得しパスワードを知ることができる。
【００３９】
通常業務を終了する場合は（Ｓ７）、カード決済端末装置２０をそのままの状態にして終了する。
ところで、図３には示してないが、ＲＴＣ２２の日付が変わった場合、パスワード生成部２３によって生成されるパスワードが変更される。このため、キーボード２１から入力されるパスワードとパスワード生成部２３より生成されたパスワードが一致せず、カード決済端末装置２０を使用することができない。このときは、マネージャによって、鍵を鍵部２５に入力し、その日のパスワードを知ることができる。
【００４０】
ここで、図４にカード決済端末装置の使用者と電源の投入の管理についての関係を示す。
パスワードを誰も知らない場合、また日付が変わって前日のパスワードと今日の生成されたパスワードが異なる場合、カード決済端末装置２０の初期電源供給は、マネージャのみが行うことができる。これによって得たパスワードは、店員に通知され、カード決済端末装置２０の電源をオンにすることができる者は、店員とマネージャのみとなる。通常業務におけるカードの支払いなどのデータへのアクセスは、店員か、もしくは顧客となる。不法アクセス者は、データへのアクセスはできない。
【００４１】
上記の説明において、生成されるパスワードは、ＲＴＣ２２の日付とランダムな数値との積演算としたが、パスワードとして使用できる数値を生成すればよく、他の和、差、除、またはこれらの組み合わせの演算であってもよい。
【００４２】
また、一定時間ごとの変更する数値として、ＲＴＣ２２の日付を用いたが、これに限らず時間ごとに、また、週ごとに変更する数値として用いてもよい。
以上により、鍵を有するマネージャ、またはパスワードを通知された店員のみ、カード決済端末装置２０の電源をオンすることができ、不正アクセスを防止することができる。
【００４３】
また、ＲＴＣ２２の日付をそのままパスワードとせず、ランダムな数値と演算させることにより、パスワードの解析を困難とし不正アクセスを防止することができる。
【００４４】
また、不法アクセス者にパスワードを知られても、一定時間経過するとパスワードが変更されるので、カード決済端末装置２０のデータに対する不正アクセスを防止することができる。
【００４５】
また、マネージャが鍵を有するだけで、複数の店員が鍵を持つ必要がなく、不正アクセス者が鍵を取得することは困難であり、不正アクセスを防止することができる。
【００４６】
さらに、パスワードの比較を行う回路構成をＣＰＵなどを使用せずに簡単な構成でできるので、コストの低減につながる。
【００４７】
【発明の効果】
以上説明したように本発明では、管理者が所持する鍵によって、変更されるパスワードが管理者に取得されるようにし、管理者及び管理者からパスワードの通知を受ける者により入力されるパスワードによって、電源をオンするようにしたので、鍵を持たない第三者は変更されるパスワードを不正取得することができず、また、パスワードの通知を受ける者は固定された個人のパスワードを持たないので第三者のパスワードの不正取得が困難となり、第三者からの不正アクセスを防止することができる。
【図面の簡単な説明】
【図１】本発明のカード決済端末装置の原理を示すブロック図である。
【図２】本発明のカード決済端末装置の構成例を示す図である。
【図３】カード決済端末装置の動作手順を示す図である。
【図４】カード決済端末装置の使用者と電源の投入の管理についての関係を示す図である。
【符号の説明】
１０…カード決済端末装置、１１…キー入力装置、１２…数値生成手段、１３…パスワード生成手段、１４…パスワード比較手段、１５…パスワード表示手段、１６…電源制御手段、１７…データアクセス装置、２０…カード決済端末装置、２１…キーボード、２２…ＲＴＣ，２３…パスワード生成部、２４…パスワード比較部、２５…鍵部、２６…電源部、２７…制御部
【図１】
0003662511.tif 000002
【図２】
0003662511.tif 000003
【図３】
0003662511.tif 000004
【図４】
0003662511.tif 000005